(57)【要約】      （修正有）【課題】セルラー通信ネットワーク環境内のモバイル端末デバイス間のデバイス間通信用の物理制御チャネルなどの物理チャネルを構成する。【解決手段】セルラーアップリンクシグナリングスペクトル（３８）内のデバイス間通信制御チャネル（Ｐ２ＣＣＨ、４４）の位置は、セルラーアップリンク制御チャネル（ＰＵＣＣＨ，４２）からデバイス間通信制御チャネル（４４）を分離する周波数オフセットパラメータ（Ｐ２ＣＣＨ＿Ｏｆｆ）を適用して決定する。【選択図】図４
2019075799.tif 000002
【特許請求の範囲】
【請求項１】
ＰＵＳＣＨ（Physical Uplink Shared Channel）を介して基地局と通信するように構成されると共にＤ２Ｄ（Device-to-Device）制御チャネル及びＤ２Ｄ共有チャネルを使用して第２のＵＥ（User Equipment）と直接通信するように構成された第１のＵＥと通信するように構成された基地局により実行される方法であって、
前記Ｄ２Ｄ制御チャネルのために使用されるリソースブロックを識別するためのＤ２Ｄ制御チャネルコンフィギュレーション情報を、前記第１のＵＥへ送信することを含み、
前記Ｄ２Ｄ制御チャネルコンフィギュレーション情報に基づいて、前記第１のＵＥが、前記Ｄ２Ｄ制御チャネルのために使用されるリソースを決定し、前記Ｄ２Ｄ制御チャネルのために使用されるリソースブロックにサブフレームにおいて隣接するリソースブロックにおいて、Ｄ２Ｄ共有チャネル送信を実行する、
方法。
【請求項２】
ＰＵＳＣＨ（Physical Uplink Shared Channel）を介して基地局と通信するように構成されると共にＤ２Ｄ（Device-to-Device）制御チャネル及びＤ２Ｄ共有チャネルを使用して第２のＵＥ（User Equipment）と直接通信するように構成された第１のＵＥと通信するように構成された基地局であって、
コントローラ及びトランシーバ回路を備え、
前記コントローラは、前記トランシーバ回路を制御して、前記Ｄ２Ｄ制御チャネルのために使用されるリソースブロックを識別するためのＤ２Ｄ制御チャネルコンフィギュレーション情報を、前記第１のＵＥへ送信するように構成され、
前記Ｄ２Ｄ制御チャネルコンフィギュレーション情報に基づいて、前記第１のＵＥが、前記Ｄ２Ｄ制御チャネルのために使用されるリソースを決定し、前記Ｄ２Ｄ制御チャネルのために使用されるリソースブロックにサブフレームにおいて隣接するリソースブロックにおいて、Ｄ２Ｄ共有チャネル送信を実行する、
基地局。
【請求項３】
ＰＵＳＣＨ（Physical Uplink Shared Channel）を介して基地局と通信するように構成されると共にＤ２Ｄ（Device-to-Device）制御チャネル及びＤ２Ｄ共有チャネルを使用して他のＵＥ（User Equipment）と直接通信するように構成されたＵＥにより実行される方法であって、
前記基地局から、前記Ｄ２Ｄ制御チャネルのために使用されるリソースブロックを識別するためのＤ２Ｄ制御チャネルコンフィギュレーション情報を受信することと、
前記Ｄ２Ｄ制御チャネルコンフィギュレーション情報に基づいて、前記Ｄ２Ｄ制御チャネルのために使用される少なくとも１つのリソースを決定することと、
前記Ｄ２Ｄ制御チャネルのために使用されるリソースブロックにサブフレームにおいて隣接するリソースブロックにおいて、Ｄ２Ｄ共有チャネルを送信することと、を含む、
方法。
【請求項４】
ＰＵＳＣＨ（Physical Uplink Shared Channel）を介して基地局と通信するように構成されると共にＤ２Ｄ（Device-to-Device）制御チャネル及びＤ２Ｄ共有チャネルを使用して他のＵＥ（User Equipment）と直接通信するように構成されたＵＥであって、
コントローラ及びトランシーバ回路を備え、
前記コントローラは、
前記トランシーバ回路を制御して、前記基地局から、前記Ｄ２Ｄ制御チャネルのために使用されるリソースブロックを識別するためのＤ２Ｄ制御チャネルコンフィギュレーション情報を受信し、
前記Ｄ２Ｄ制御チャネルコンフィギュレーション情報に基づいて、前記Ｄ２Ｄ制御チャネルのために使用される少なくとも１つのリソースを決定し、
前記トランシーバ回路を制御して、前記Ｄ２Ｄ制御チャネルのために使用されるリソースブロックにサブフレームにおいて隣接するリソースブロックにおいて、Ｄ２Ｄ共有チャネルを送信するように構成される、
ＵＥ。
【発明の詳細な説明】
【技術分野】
【０００１】
本発明は、セルラー通信ネットワーク環境内で動作するユーザ機器（ＵＥ：User Equipment）などのモバイル無線通信デバイスによって使用されるデバイス間通信（Ｄ２Ｄ：Device-to-Device）チャネルの割当及び構成に関する。特に、本発明は、このような環境内でＤ２Ｄチャネルを構成する方法、このような構成を実現するためにＵＥを動作させる方法、及びこのような構成を提供する、関連するＵＥデバイス及びコンピュータプログラミング製品に関する。
【背景技術】
【０００２】
セルラー通信ネットワーク環境内の近接サービス（ＰｒｏＳｅ：Proximity based Services）のコンセプトは、ＵＥのオフローディングによるネットワーク容量を改良する一方で、このような環境内で動作するＵＥ用の通信容量及びサービス品質を改良するメカニズムを割り出す点にある。Ｄ２Ｄ通信は、セルラーネットワーク環境内で動作し、幾つかのネットワークリソースを用いるが、ネットワークを通じた通信は要求しないＵＥ間のサービス通信を適切な品質にすることを意図している。
【発明の概要】
【発明が解決しようとする課題】
【０００３】
最近の３ＧＰＰ（Third Generation Partnership Product）コミュニティの開発及び議論では、Ｄ２Ｄ機能用の要件の割り出しが行われており、この要件には、特に、Ｄ２Ｄ通信において、ＵＥ間（例えば、ＵＥペア）のユニキャスト通信をサポートすること、又は、ＵＥ間（例えば、あるＵＥから他の複数のＵＥへ）のブロードキャスト通信若しくはグループキャスト通信をサポートすることが含まれている。
【０００４】
しかし、現在の提案は、限定されたままであり、また、幾つかのポテンシャルな特徴が割り出され、議論されている一方で、物理チャネルリソースの構成などの様々な態様用の提案は、限定されて、未開発のままである。
【０００５】
このような既知の議論は、ポテンシャルなコアシステムを前提としたものに集中している。すなわち、セルのアップリンクスペクトルがＤ２Ｄ通信用に使用されるべきであることがポテンシャルな合意に達した一方で、Ｄ２Ｄ通信用の無線リソースの割り当てを、セル基地局（ｅＮＢ）内又は端末デバイスのクラスタのクラスタヘッド内に集中させるという提案が現在はある。また、さらには、Ｄ２Ｄ通信用のリソースの割り当ては、セルラーネットワークのレガシーな物理ダウンリンク制御チャネル（ＰＤＣＣＨ：Physical Downlink Control Channel）を参照して行うという提案がある。また、さらには、共通のサブフレーム内でのセルラーアップリンクとＤ２Ｄ送信との間の多重化（すなわち、データ及び／又は制御関連情報）を行うことや、特定の物理制御チャネル（Ｐ２ＣＣＨ）を、Ｄ２Ｄ通信用に導入し、Ｄ２Ｄ通信を行っているＵＥ間（すなわち、いわゆるＤ２ＤペアのピアＵＥ）で制御情報を直接伝送することが議論されている。このように提案されたＰ２ＣＣＨのＤ２Ｄチャネルは、ピアＵＥ間のＡＣＫ／ＮＡＣＫフィードバックの交換（例えば、チャネル品質インジケータ（ＣＱＩ：Channel Quality Indicator）情報などの交換）用の、又は、ピアＵＥ間の無線状態の推定用のハイブリッド自動再送要求（ＨＡＲＱ：Hybrid Automatic Repeat Request）メカニズムなどの機能をサポートすることができる。
【０００６】
また、新たに提案された制御チャネルに加えて、ピアＵＥ間で直接データ（例えば、ユーザデータ又はユーザシグナリングなど）を伝送するために、Ｄ２Ｄ通信用の新たな物理共有チャネル（Ｐ２ＳＣＨ）が示されている。
【０００７】
このような提案に関連して、セルラー通信ネットワーク内のＤ２Ｄ通信シナリオに関連するリソース割当／構成用の別の提案がある。しかし、現在の提案は、非効率であり、セルラー環境上、特に、レガシーな物理アップリンク制御チャネル（ＰＵＣＣＨ：Physical Uplink Control Channel）及びセルの基地局（ｅＮＢ）機能に関連する環境上に影響を与えるものである。
【０００８】
このような既知のシステムは、ＷＯ２０１２／１５９２７０に開示されており、このシステムは、セルラー通信ネットワークの通信リソースをＤ２Ｄ通信に割り当てるメカニズムを含むが、不都合に限定されるもので、Ｄ２Ｄ通信用に用いられる周波数帯域及びリソースプールなどのレガシーな無線リソースに単純に焦点を当てたものである。
【０００９】
本発明は、チャネルリソースを構成して、セルラー通信ネットワーク環境内でＤ２Ｄ通信用の制御情報を伝送するものであって、既知の方法、関連するデバイス及びコンピュータプログラム製品を超える効果を有する方法、関連するモバイル通信デバイス及びコンピュータプログラム製品を提供する。
【課題を解決するための手段】
【００１０】
本発明の一態様によれば、セルラー通信ネットワーク環境内のモバイル端末デバイス間のデバイス間通信用の物理制御チャネルなどの物理チャネルを構成する方法が提供され、前記方法は、セルラーアップリンクシグナリングスペクトル内のデバイス間通信制御チャネルの位置決めをするステップ、及びセルラーアップリンク制御チャネルから前記デバイス間通信制御チャネルの分離を決定するために周波数オフセットパラメータを適用するステップを含む。
【００１１】
特に、前記デバイス間通信制御チャネルの位置決めをするステップでは、前記モバイル端末デバイスの１つを決定することができる。
【００１２】
本発明の別の態様によれば、セルラー通信ネットワーク環境内のデバイス間通信用のモバイル端末デバイスを動作させる方法が提供され、前記方法は、前記デバイス内において、セルラーアップリンクシグナリングスペクトル内のデバイス間通信制御チャネルの位置決めをするステップ、及びセルラーアップリンク制御チャネルから前記デバイス間通信制御チャネルの分離を決定するために周波数オフセットパラメータを適用するステップを含む。
【００１３】
本発明は、全ての様々な態様において、特にレガシーなＰＵＣＣＨについて、前記ネットワーク環境内のセルラー接続性に与える影響を考慮した場合に効果があることを示している。これは、特に、前記２つの制御チャネル間の適切な距離／分離を確立するための前記オフセット周波数の設定を通じて、ダウンリンクのセルラー容量を維持し、レガシーなＰＵＣＣＨと構成されたＰ２ＣＣＨとの間の無線干渉を回避できる。
【００１４】
さらに、本発明は、Ｄ２Ｄ及びセルラー制御の効果的な分離を通じて、すなわち分離したスケジューリングの提供を通じて、ｅＮＢのスケジューラにのみ限定的な影響を及ぼす。
【００１５】
また、さらにここで記載されるように、レガシーなセルラーチャネル計算アルゴリズムを採用したことに起因して、モバイル端末デバイスでは、限定され追加された機能及び／又は複雑な必要性が生じる。
【００１６】
さらにまた、有利には、全てのチャネルにおけるＳＣ−ＦＤＭＡ送信用のシングルキャリア特性を維持し、それによってＰＵＳＣＨフラクショニングを回避できる。
【００１７】
もちろん、オフセット値は、リソースブロックのコンテキスト内で確立することができる。
【００１８】
前記方法はまた、前記デバイス間通信制御チャネルの帯域幅を識別するステップを含むことができる。
【００１９】
好ましくは、前記方法は、セルラーネットワークのアップリンク／ダウンリンクシグナリングを参照して前記周波数オフセットを決定するステップを含む。
【００２０】
有利には、前記周波数オフセットを決定するステップは、前記セルラーネットワーク環境内の物理上りリンク制御チャネル特性を決定するために用いられるアルゴリズムの適応を含むことができる。
【００２１】
さらに、前記端末デバイスは、無線リソース制御ＳＩＢメッセージングを介して、前記デバイス間通信制御チャネルの位置を識別するデータを受信することができる。
【００２２】
必要であれば、前記方法はまた、端末デバイス間の共通構成パラメータ値を識別するステップを含むことができる。有利には、前記共通構成パラメータの値は、２つのモバイル端末デバイス間のランダムチャネルアクセス手順などのメッセージ交換によって計算することができる。
【００２３】
また、前記共通構成パラメータの値は、隣接セルのパラメータがブロードキャストされたＲＲＣのＳＩＢシグナリングに基づいて決定することができる。
【００２４】
そのため、前記方法は、無線アクセスネットワーク内の他のモバイル端末デバイスとは異なるセルに従属するモバイル端末デバイスの構成用に提供することができる。
【００２５】
前記方法はまた、以前にキャンプオンしたセルを介して、又は、ＵＳＩＭにおける予め設定された値を介して、前記デバイス間通信用の物理制御チャネルの構成を含む他のモバイル端末デバイスがいるＲＡＮカバレッジの外側のモバイル端末デバイスに関係して提供することができる。
【００２６】
必要であれば、前記方法は、モバイル端末間のデバイス間通信チャネル位置パラメータの伝送用の発見ビーコンを用いるステップを含むことができ、及び／又は、初期アクセスメッセージングの交換用のレガシーなランダムアクセス手順内の初期シグナリングアクセスを用いるステップを含むことができる。
【００２７】
また、前記方法は、隣接セルの物理チャネルパラメータの構築用に、ネットワークノード間通信用のＸ２メッセージ／パラメータを用いるステップを含むことができる。
【００２８】
本発明のさらなる態様によれば、セルラー通信ネットワークのモバイル端末デバイスが提供され、前記モバイル端末デバイスは、さらなるモバイル端末デバイスとデバイス間通信をするように構成されると共に、セルラーアップリンクシグナリングスペクトル内のデバイス間通信制御チャネルの位置決めをするように構成され、セルラーアップリンク制御チャネルから前記デバイス間通信制御チャネルの分離を決定するために周波数オフセットパラメータを適用する。
【００２９】
このようなデバイスは、上記で述べた方法の特徴の１以上に従って動作するように構成することができる。
【００３０】
本発明のさらなる態様によれば、コンピュータデバイス用のコンピュータプログラム製品が提供され、前記コンピュータプログラム製品は、前記コンピュータデバイス上で動作する場合に、上記の方法の特徴のいずれかのステップを実行するソフトウェアコード部分を含む。
【００３１】
また、前記コンピュータプログラム製品は、前記ソフトウェアコード部分が格納されているコンピュータ可読媒体を含むことができる。
【００３２】
同様に、本発明の前記コンピュータプログラム製品は、前記コンピュータデバイスの内部メモリへ直接ロード可能であるか、及び／又は、アップロード、ダウンロード、及びプッシュ手順の少なくとも１つによって、ネットワークを介して伝送可能である。
【図面の簡単な説明】
【００３３】
以下、添付の図を参照して、単なる例示として、本発明について説明する。
【図１】本発明が適用可能なセルラーネットワーク環境内でのピアＵＥ間のＤ２Ｄ通信を示す概略図である。
【図２】本発明の一態様に従った構成の一連のサブフレームを示す概略図である。
【図３】本発明の他の態様に従った構成の一連のサブフレームを示す概略図である。
【図４】図３の実施形態に従った構成のサブフレームを示す概略図である。
【図５】レガシーなネットワーク送信及びＤ２Ｄ通信用の送信シーケンスを示すシグナリング図である。
【図６】本発明のさらなる特徴に従ったサブフレーム構成を示す概略図である。
【図７】本発明の実施形態に従って動作するように構成されるモバイル無線通信端末デバイスを示す概略図である。
【図８】３ＧＰＰ技術仕様書のＴＳ３６．２１１のセクション５．４に記述された“図５．４．３−１：ＰＵＣＣＨ用物理リソースブロックへのマッピング”の概念図である。
【発明を実施するための形態】
【００３４】
図１を参照すると、セルラー通信ネットワーク環境１０内の端末デバイス１０を示す概略図が提供されており、セルラー通信ネットワーク環境１０は、ｅＮＢ１２の形式である基地局デバイス、第１のＵＥ１４などの第１のモバイル無線通信端末デバイス、及び第２のＵＥ１６などの第２のモバイル無線通信端末デバイスを含む。
【００３５】
後述のシグナリングによって示されるように、第１及び第２のＵＥ１４，１６は、セルラー通信機能に従って、アップリンク及びダウンリンク制御及び共有チャネルを介して、セルラーアップリンク及びダウンリンクのシグナリングをｅＮＢ１２と交換するように構成される。これに加えて、本発明のフィールドに従って、ＵＥ１４，１６は、有利にはセルラーネットワークリソースが減少／限定させられた影響下で、Ｄ２Ｄ通信を行うように構成される。第１及び第２のＵＥ１４，１６からｅＮＢ１２へのアップリンク制御／データトラフィック用のアップリンク制御／データチャネルＰＵＣＣＨ／ＰＵＳＣＨ１８が概略的に示されている。また、ＵＥ１４，１６の各々で受信される、ネットワークすなわちｅＮＢ１２からのデータのダウンリンク制御／データチャネルＰＤＣＣＨ／ＰＤＳＣＨ２０が概略的に示されている。
【００３６】
ここまで述べたように、ＵＥ１４，１６はまた、相互Ｄ２Ｄ通信用にＵＥペアを形成するように構成され、また、このコンテキストにおいて、本発明のコンセプトに基づいて、ＨＡＲＱフィードバックシグナリングなどのＤ２Ｄ制御情報２２は、物理制御チャネルを介して２つのＵＥ１４，１６間で交換可能であり、また、Ｄ２Ｄデータ２４は、物理共有データチャネルを介して２つのＵＥ１４，１６間で交換可能である。このような制御及びデータチャネルは、Ｄ２Ｄ通信に特有なものであり、本明細書内では、それぞれＰ２ＣＣＨ及びＰ２ＳＣＨとして識別される。
【００３７】
単一のセルの共通の無線アクセスネットワーク（ＲＡＮ：Radio Access Network）が図１を参照して示されているが、本発明は、様々なネットワーク構成シナリオに従ったＤ２ＤのＵＥペアを用いることができることを理解すべきである。すなわち、図１などに示されるように、ＵＥ１４，１６の双方が単一のセルに従属するようなイントラセルシナリオにおける周波数分割複信（ＦＤＤ：Frequency Division Duplex）又は時分割複信（ＴＤＤ：Time Division Duplex）のＲＡＮカバレッジ下で動作するＵＥペアを関連して採用することに加えて、本発明は、これらＵＥが異なるセル／ｅＮＢに従属するインターセルシナリオに関連した使用もなされる。
【００３８】
さらに、本発明はまた、ここではＲＡＮカバレッジの外部のＵＥの動作に関連して適用可能であるものとして説明するが、ユニキャスト通信を介してＵＥペア間でＤ２Ｄデータを交換することもできる。
【００３９】
また、本発明の上述した概要及び以下の説明から、本発明は、有利には、ＰＵＣＣＨ及びＰＵＳＣＨからなるアップリンク帯域スペクトル内のレガシーなアップリンクチャネルＰＵＣＣＨ，ＰＵＳＣＨ、及びＤ２ＤチャネルＰ２ＣＣＨ，Ｐ２ＳＣＨの共存の管理を提供することを理解すべきである。特定の効果としては、本発明は、Ｄ２ＤのＵＥペアのＵＥデバイスの双方が、Ｄ２ＤのＵＥペアリンクに関連するＤ２Ｄ制御情報にアクセスするために、アップリンク帯域で送信／受信を試行すべき時間及び／又は周波数における無線リソースの位置を識別することができることにある。また、本発明は、ｅＮＢ１２などのセルラーネットワークノードデバイスが、Ｄ２Ｄチャネル上の送信からレガシーなアップリンクチャネル上の送信の間を区別することができ、また、一般的に言えば、チャネル間のポテンシャルな干渉及び相互の影響を減少させることができる。
【００４０】
また、図２及び図３に関して、本発明のＤ２Ｄ通信用のコンテキスト内のＰ２ＣＣＨ及びＰ２ＳＣＨチャネルの採用、及び、特にレガシーなアップリンク制御及び共有データチャネルＰＵＣＣＨ，ＰＵＳＣＨとの共存を提供する、隣接サブフレーム及び関連するリソースブロックの構造が概略的に示されている。
【００４１】
まず、図２に進むと、隣接サブフレーム２６，２８内の周波数領域にあるリソースブロックは、周波数スペクトル内では、ＰＵＣＣＨチャネル要素３０、Ｄ２ＤのＵＥペア間で交換するＤ２Ｄ制御情報用のＤ２Ｄ  Ｐ２ＣＣＨチャネル要素３２、セルラーネットワークデータアップリング交換用のＰＵＳＣＨチャネル３４、及びそのペア間で交換するＤ２Ｄデータ用のＤ２Ｄ  Ｐ２ＳＣＨチャネル３６に分割されている。
【００４２】
図２は、隣接する次のサブフレーム２８のリソースブロックが前のサブフレーム２６と同じ特性を示すように、周波数分割複信ベース上でのアップリンク及びＤ２Ｄチャネル間が共存していることを示している。
【００４３】
次に、図３に進むと、周波数スペクトルを参照して、連続する隣接サブフレーム３８，４０の同様の構造図が提供されており、サブフレーム３８，４０は、アップリンク制御チャネルＰＵＣＣＨ部４２，Ｄ２Ｄ制御チャネルＰ２ＣＣＨ部４４，４６に分割され、特にこの例では、データ交換用のアップリンク及び／又はＤ２Ｄ共有チャネルＰＵＳＣＨ／Ｐ２ＳＣＨに分割されている。また、次のサブフレーム４０の構造は、最初のサブフレーム３８の構造をミラー化したもので、アップリンク及びＤ２Ｄ制御ＰＵＣＣＨ／Ｐ２ＣＣＨとデータＰＵＳＣＨ／Ｐ２ＳＣＨチャネルとの間のアップリンクチャネルスペクトル内のフルＦＤＭシナリオを表している。
【００４４】
アップリンク及びＤ２Ｄ制御及びデータチャネルの共存用に時分割複信を用いることができる一方で、このような構成は、レガシーなＰＵＣＣＨ帯域幅の利用可能性に関する動作をさらに制限し、各制御チャネルのレイテンシが増加することを示すか、又は、Ｄ２Ｄアップリンク送信間のアップリンクスペクトル帯域の分割において、また、ネットワーク負荷への適用において、ｅＮＢの柔軟性をさらに抑制し得る。
【００４５】
図３を参照して具体的に示されたＦＤＭサブフレーム構造で到着する構成の１つの例を、図４を参照して説明する。
【００４６】
図４は、Ｄ２Ｄ通信用のＰ２ＣＣＨチャネルの位置を定義する役割を持つ新たなシステムパラメータを採用したことを特に示している。
【００４７】
このＤ２Ｄ制御チャネルＰ２ＣＣＨの位置は、有利には、アップリンクのリソースブロックによって用いられる周波数スペクトルに参照される２つのパラメータを介して定義され、２つのパラメータとしては、まず、Ｄ２Ｄ制御チャネルＰ２ＣＣＨを、レガシーなアップリンク制御チャネルＰＵＣＣＨに関連してオフセットする周波数オフセットパラメータを含み、さらに、実際のＤ２Ｄ制御チャネルＰ２ＣＣＨの帯域幅を含む。図４において、このようなパラメータは、１つのサブフレームのコンテキスト内に示され、リソースブロック３８は、図３に示される垂直方向における周波数スペクトル（不図示）を包含しており、上述のように、アップリンク制御チャネル部４２、Ｄ２Ｄ制御チャネル部４４、及びアップリンク及び／又はＤ２Ｄデータ用の共有部４６を用いている。
【００４８】
アップリンク制御チャネル領域４２の各々に関連する矢印Ｐ２ＣＣＨ＿Ｏｆｆで示されるように、周波数分割複信の要求に従い、アップリンク制御チャネル４２に関連して、Ｄ２Ｄ制御チャネル４４はオフセットされる。第２のパラメータは、図４の両矢印Ｐ２ＣＣＨ＿ＢＷで示されるように、Ｄ２Ｄ制御チャネル４４の帯域幅を含む。
【００４９】
そのため、Ｄ２ＤパラメータＰ２ＣＣＨ＿Ｏｆｆ及びＰ２ＣＣＨ＿ＢＷは、Ｄ２Ｄ制御チャネル４４の各々の周波数オフセット及び帯域幅を介して、位置を定義する役割を持つ。ＵＥ個別のアップリンク及びＤ２Ｄ制御チャネル４２，４４に用いられないリソースブロックスペクトルの残りは、共有通信チャネル４６用に利用可能である。もちろん、ＦＤＭのＤ２Ｄ及びアップリンク共有データチャネルを備える図２の代替えも同様に使用可能である。
【００５０】
上述したように、本発明によって示されるパラメータは、異なるネットワークの無線カバレッジシナリオに従って用いることもできる。
【００５１】
特に、Ｄ２ＤのＵＥペアがネットワークカバレッジ内にいる無線カバレッジシナリオに関して、パラメータは、各セルにユニークなものになり、また、その値は、無線リソース制御ＳＩＢシグナリングを通じて、キャンプオンしたＵＥに提供される傾向にある。すなわち、Ｄ２ＤのＵＥペアの双方が同じセルにいるイントラセルカバレッジに関して、双方のＵＥは、ＰＵＣＣＨチャネルにおけるリソースブロックの識別用に用いられるアルゴリズムを実行すると共に、上述のＰ２ＣＣＨ＿Ｏｆｆを結果に追加することにより、リソースブロックの位置、及び、使用のために割り当てられたリソースブロックの数を計算することができる。
【００５２】
Ｄ２ＤのＵＥペアがインターセルカバレッジ内にいる無線カバレッジシナリオに関して、Ｄ２ＤのＵＥペアは、オフセット及び帯域幅パラメータのデュプレット（duplet）に関して異なる値となる可能性があるため、共通のデュプレットが識別されるべきである。後述のように、このような共通のデュプレットは、２つのＰ２ＣＣＨゾーンの交差部分を参照することによって定義することができ、また、Ｐ２ＣＣＨ＿ＢＷパラメータは、有利には、このような共通のデュプレットの計算用に用いることができる。
【００５３】
本発明内で用いるパラメータ及び共通のデュプレットの決定の詳細は後述する。しかし、カバレッジ外のネットワークシナリオに関して、Ｄ２ＤのＵＥペアは、デュプレット用の値が、予め設定された値から発生可能な値、又は、ネットワークカバレッジ下にあった時に以前に受信した値といった異なる値を示す可能性があり、また、後述のように共通のデュプレットを決定するためにインターセルカバレッジに関連して採用された同様の手順を用いることができる。
【００５４】
本発明のさらなる特徴は、Ｄ２ＤのＵＥペアにおける受信側のＵＥが、Ｄ２ＤのＨＡＲＱフィードバックシグナリングなどの制御情報の伝送用に適切なＰ２ＣＣＨチャネルの位置決め及び割当を行う手順に関連している。
【００５５】
このような位置決め及び割当に関する様々な形式のアルゴリズムがあるが、１つの有利な形態は、例えば、レガシーなダウンリンク制御チャネルＰＤＣＣＨにおける割当情報の位置決めに関する情報に基づいて、レガシーなＰＵＣＣＨチャネルの制御チャネル無線リソースを割り当てるために用いられるアルゴリズムに基づくものである。
【００５６】
このようなレガシーなアルゴリズム及び関連する割当／位置決めは、３ＧＰＰ技術仕様書のＴＳ３６．２１１のセクション５．４に記述されたようなレガシーなＬＴＥシステムから知られており、その全ての内容は参照により本明細書に組み込まれるが、その完全性に関して、主要なセクションは以下の通りである。
【００５７】
『５．４．３  物理リソースへのマッピング
複素数値シンボルｚ（ｉ）のブロックは、［４］のセクション５．１．２．１で指定された送信電力ＰＰＵＣＣＨに適合させるために、振幅スケーリングファクターβＰＵＣＣＨと乗算されるべきであり、また、ｚ（０）で始まる順番でリソース要素にマッピングされるべきである。ＰＵＣＣＨは、サブフレーム内の２つのスロットのそれぞれに１つのリソースブロックを使用する。送信用に使用される物理リソースブロック内では、リファレンス信号の送信用には使用されないリソース要素（ｋ，ｌ）へのｚ（ｉ）のマッピングは、サブフレーム内の最初のスロットで開始され、最初にｋから増加順に行われ、続いてｌ、最終的にはスロット数分行われる。
スロットｎｓにおいて、ＰＵＣＣＨの送信用に使用される物理リソースブロックは、次式で与えられる。
2019075799.tif 000003
ここで、変数ｍはＰＵＣＣＨのフォーマットに依存する。フォーマット１，１ａ及び１ｂに関して、
2019075799.tif 000004
また、フォーマット２，２ａ及び２ｂに関して、
2019075799.tif 000005
物理アップリンク制御用の変調シンボルは、図５．４．３−１に図示されている。
正しいリファレンス信号とＰＵＣＣＨフォーマット１，１ａ又は１ｂを同時に送信する場合、ＰＵＣＣＨ上の１つのＳＣ−ＦＤＭＡシンボルは、パンクチャーされるであろう。』
図８は、３ＧＰＰ技術仕様書のＴＳ３６．２１１のセクション５．４に記述された“図５．４．３−１：ＰＵＣＣＨ用物理リソースブロックへのマッピング”の概念図である。
【００５８】
本発明に関連して発生するＤ２Ｄ通信に関して、Ｄ２Ｄペアの双方のＵＥがデータのＤ２Ｄ送信用の割当を受信し、そのデータを受信したＵＥが物理アップリンク制御チャネルにおける“virtual（仮想的）”なリソースブロックを提供する、上述したレガシーなアルゴリズムを実行するように構成される、既知のアルゴリズムの使用によって、要求されたＰ２ＣＣＨの割当／位置決めが導出される。受信側のＵＥは、上述したオフセットＰ２ＣＣＨ＿Ｏｆｆ値を、図４に関連して記述された周波数スペクトル内のアルゴリズムの結果に追加することができ、それによって、Ｐ２ＣＣＨゾーンにおけるリソースブロックが“effective（効果的）”に計算されたものに変化する。
【００５９】
ｅＮＢとＤ２ＤのＵＥペアとの間で発生し、レガシーな双方のシグナリング用かつ本発明の実施形態に従ったＤ２Ｄ制御チャネル構成用の送信シーケンスの例が、図５を参照して説明される。
【００６０】
図５は、ダウンリンクキャリア及びアップリンクキャリアの双方を包含する周波数スペクトル（垂直のアクセスであるが、特に図示されない）内のタイミング図を表しており、また、レガシーな双方のシグナリング及びレガシーなアップリンクスペクトル内のＤ２Ｄ制御及びデータチャネルＰ２ＣＣＨ、Ｐ２ＳＣＨのシグナリングに関連して、一連のサブフレーム５０，５２，５４内に現れるＵＥのリソースブロックを図示している。
【００６１】
サブフレーム５０内のダウンリンクキャリアスペクトル内では、物理ダウンリンクチャネル５６が提供され、その内部では、ｅＮＢ（不図示）がダウンリンクトラフィック用にリソースブロック５８を割り当て、また、ｅＮＢがＤ２Ｄペアの第１及び第２のＵＥ間のＤ２Ｄ通信用にリソースブロック６４を割り当てている。サブフレーム５０はまた、ｅＮＢがＲＢ割当５８に関連してデータ６４をＵＥに送信したダウンリンク共有チャネルを表すリソースブロック６２を含んでいる。
【００６２】
シグナリングのレガシーな要素に関して、ダウンリンクＨＡＲＱリソース位置決めアルゴリズムは、第１のＵＥでのダウンリンク受信上のＨＡＲＱフィードバック６８を送信する一方で、第１のＵＥによって用いられるＰＵＣＣＨチャネル６６内の部分を識別するために適用される。次のサブフレーム５２内では、物理制御チャネル７０が上述したレガシーなアルゴリズムを基に計算される。しかし、Ｄ２Ｄ通信用にｅＮＢによって割り当てられたリソースブロック６４に関して、第１のＵＥは、Ｄ２Ｄペア内の第２のＵＥへＤ２Ｄデータ７４を送信する。サブフレーム５４内のリソースブロック構造を参照すると、物理アップリンク制御チャネル７６、Ｄ２Ｄ通信用の物理制御チャネル７８、及び関連する共有データチャネル８０が再度提供される。ｅＮＢによるＤ２Ｄ通信用のリソースブロック６４の割当を再度参照すると、適合されたＤ２ＤのＨＡＲＱリソース位置決めアルゴリズムは、Ｄ２Ｄ受信上で要求されたＨＡＲＱシグナリング８２を供給するために適用される。
【００６３】
制御チャネルのシグナリング内では、上述したＨＡＲＱメカニズムが参照されるが、本発明の主題は、例えば、ＣＱＩ情報などの任意の他の要求された制御情報に関連して実行されることにあることを理解すべきである。
【００６４】
また、上述したように、本発明は、同じセル内、及びインターセル、又は実際にはカバレッジ外でＤ２Ｄ通信を行うＤ２ＤのＵＥペアには限定されずに、本発明のコンセプトの採用を実現することができる。
【００６５】
適切なインターウォーキングルールとして、インターセル、又はカバレッジ外のＵＥペア用のＤ２Ｄ通信に関連する形態をカバーすることが提案されている。双方のインスタンスにおいて、Ｄ２Ｄペアの２つのＵＥは、異なるセルにキャンプオンしているため、同じデュプレット、すなわち、オフセット値及び／又は制御チャネル帯域幅を示さない。しかし、Ｄ２Ｄ通信を許容するために、双方のＵＥは、それぞれのＰ２ＣＣＨゾーンの交差部分／オーバーラップを計算して共通のデュプレットを識別するように構成することができ、このような特徴は図６に記述される。
【００６６】
図６は、Ｄ２Ｄペア内の第１及び第２のＵＥ８４，８６用のリソースブロック構造を示しており、双方のリソースブロック構造は、本発明の特徴による機能を含むため、図示されるような仮想的な共通リソースブロック構成８８を提供する。
【００６７】
２つのＵＥ８４，８６の各々用のサブフレーム内に示されている基本構造は、図４を参照して示された本発明の実施形態の特徴に基づいている。このように、それらは、レガシーなアップリンクチャネルの周波数スペクトル内のＦＤＭスキームを提供しており、リソースブロック構造は、アップリンク制御チャネルゾーン、Ｄ２Ｄ制御チャネルゾーンに導出されたオフセット、及び、要求されるようなアップリンク及び／又はＤ２Ｄ通信用の共有データチャネルを含む。
【００６８】
しかし、図示されるように、異なるセルにキャンプオンした２つのＵＥ８４，８６から生じる違いを考慮すると、それぞれのＤ２Ｄ制御チャネルＰ２ＣＣＨのそれぞれの境界の間の一致性が欠ける可能性がある。すなわち、ＵＥ８４は、“オフセット１＋帯域幅１”に相当するＤ２Ｄ制御チャネル用の上方の境界を示し、ＵＥ８６は、“オフセット２＋帯域幅２”のＤ２Ｄ制御チャネルＰ２ＣＣＨ用の上方の境界を示しており、“オフセット１”９４及び“オフセット２”９６は、上述したように、レガシーなアップリンク制御チャネルＰＵＣＣＨに関連して決定される。
【００６９】
共通の構成構造８８で到着するために、図６で点線によって示されるように、上方の境界は、２つの値９０，９２の最小値として決定され、下方の境界は、２つのオフセット値９４，９６の最大値として決定される。
【００７０】
図示されるような共通のＰ２ＣＣＨ制御チャネル９８を導くこのような組み合わされた境界を適用することにより、インターセル及びカバレッジ外のシナリオ用の本発明のメカニズムを採用することができる。
【００７１】
図７に進むと、セルラーネットワーク上で通信を行い、例えば、Ｄ２ＤのＵＥペアのＵＥ１００であるモバイル端末デバイスの概略図が提供されている。
【００７２】
ＵＥ１００は、アンテナ１０２及び送信／受信回路１０４を有する送信／受信インタフェースなどの標準的な機能を含み、それに加えて、メモリ機能１０６、プロセッサ機能１０８、及びユーザインタフェース機能１１０を含む。
【００７３】
本発明によれば、プロセッサ機能１０８は、Ｄ２Ｄ通信交換を可能にして本発明による効果を示すために、本発明に従って、要求されたチャネル構成を実現する手段を含む。すなわち、プロセッサ機能１０８は、本発明に従って生じ、上述したように、周波数オフセット値及び帯域幅値を識別する役割を持つパラメータ値を決定及び／又は適用するように構成することができる。
【００７４】
具体的には、プロセッサ機能１０８は、制御情報の伝送用の初期の物理リソースブロックを決定すると共に要求された周波数オフセットをそこから得られた結果に適用するレガシーなアルゴリズムを参照することによって、上述した周波数オフセット値を決定するように構成することができる。このようにして、このようなＤ２ＤのＵＥ１００は、Ｄ２Ｄ制御情報の伝送用の要求された物理リソースブロックの位置を決定することができるが、他の数学的演算、例えば、総和や減算等を用いることが可能であることは理解されるべきである。
【００７５】
また、理解されるように、本発明によるＤ２Ｄ制御チャネルのシステムパラメータ用のシグナリング交換をサポートする様々なメカニズムが存在し、それらは、シグナリング交換に含まれる特定のネットワーク端末及び／又はノードデバイスへの関連付けが可能である。
【００７６】
例えば、ｅＮＢなどの端末ノードとＵＥなどのモバイル端末との間での交換用に、ＲＲＣシステム情報ブロードキャスト（ＳＩＢ：System Information Broadcast）メッセージ／パラメータを用いることができる一方で、ｅＮＢは、自身のセルのパラメータセットをブロードキャストすることができる。また、ｅＮＢは、要求されれば、近隣セルのパラメータセットをブロードキャストすることができ、また、上述したように、カバレッジ外の形態用に有用であることを示すことができる。
【００７７】
ＵＥ間の通信に関して、当然ながら、図６に関連して説明したように、共通構成の特徴の計算用にデータを供給する必要性を示すことができる。ここで、伝送のオプションは、Ｐ２ＣＣＨパラメータを伝送するために発見ビーコンを使用することを含み、及び／又は、Ｄ２ＤのＵＥペアによる特定のＰ２ＣＣＨパラメータを含む初期アクセスメッセージングの交換などのレガシーなランダムアクセス手順における初期アクセスシグナリングを使用することを含む。他の代替のオプションは、特定のＰ２ＣＣＨパラメータセットのデータを用いることができ、また、要求されれば、キャンプオンしたセルの識別子が、有利には、ＳＩＢ内の近隣セルのＰ２ＣＣＨパラメータにおけるパラメータセットの回復を許容することを示すことができる。
【００７８】
ネットワーク端末ノード、例えば、ｅＮＢ間通信のシグナリングに関して、その使用は、近隣セルのＰ２ＣＣＨメッセージ／パラメータの構築用に有用であることを示すこともできるＸ２インタフェースのメッセージ／パラメータを作ることができる。
【００７９】
上記から理解されるように、本発明は、チャネル構成手順内、端末デバイス動作手順内、及び関連するプログラム製品で直ちに具現化することができ、有利には、Ｄ２Ｄが可能なＵＥが、レガシーなアップリンク帯域のどの部分が、Ｄ２Ｄ用に、及び特にＰ２ＣＣＨ目的のために、動的に使用できるかを決定することができる有利なスキームを提供する。
【００８０】
特に、提案されたＰ２ＣＣＨチャネルの位置を定義するシステムパラメータを提供することができることを理解すべきであり、このようなパラメータは以下を含む：
Ｐ２ＣＣＨ周波数オフセット；そのオフセットがＰ２ＣＣＨチャネルの下方の境界に追加された場合に、レガシーなＰＵＣＣＨからシフトする周波数を計算するため、及び、Ｐ２ＣＣＨチャネルの下方の境界を得るために用いられる
Ｐ２ＣＣＨ帯域幅；Ｐ２ＣＣＨチャネルの上方の境界を得るために用いられる。
【００８１】
特定のアルゴリズム機能を、Ｄ２Ｄ物理制御チャネル用の物理リソースブロックの位置決め用に用いることができ、また、このような提案されたアルゴリズムは、上述した技術仕様書３６．２１１に見られるレガシーなＬＴＥアルゴリズムをベースにすることができる。レガシーなアルゴリズムを実行して、制御情報を伝送する初期物理リソースブロックを見つけた後に、Ｄ２ＤのＵＥがＤ２Ｄ制御情報を伝送する物理リソースブロックを見つけることができるように、Ｐ２ＣＣＨ周波数オフセットを使用することができる。もちろん、総和や減算等などの他の数学的演算を用いることが可能であることは理解されるべきである。
【００８２】
物理制御情報を伝送する方法のさらなる詳細な例は、３ＧＰＰ技術仕様書３６．２１３によって提案することができ、その内容はまた参照により本明細書に組み込まれる。
【００８３】
Ｐ２ＣＣＨのシステムパラメータ用に提案されるシグナリング動作は、提案されるシステムパラメータを供給するためのＲＲＣシグナリングの使用を含む：ＳＩＢ又は専用のＲＲＣメッセージ、及びこのようなパラメータは、ＵＥに予め構成しておくことができ、また、ＵＳＩＭにおけるネットワークオペレータによって予め設定するか又は３ＧＰＰ仕様書で予め定義しておくこともできる。
【００８４】
セルに由来するパラメータに合致させないための上述したインターウォーキングの計算ルールを有利に採用したことにより、選択可能なＰ２ＣＣＨの周波数オフセット及びＰ２ＣＣＨの帯域幅パラメータから計算されたＰ２ＣＣＨゾーンの交差部分に焦点を当てることができ、それにより、異なるＰ２ＣＣＨ構成を提供しているＵＥによって使用される共通のデュプレットを見つけることができる。もちろん、Ｐ２ＣＣＨの周波数オフセット及びＰ２ＣＣＨの帯域幅パラメータを使用するいかなる他のルールも、結合ルール、総和ルールなどとして使用することができる。
【００８５】
このようなインターウォーキング用のシグナリングによって、Ｘ２インタフェースを使用するｅＮＢ間での、提案されるシステムパラメータの交換が可能になる。さらに、提案されるシステムパラメータは、発見ビーコン又はレガシーな無線アクセスシグナリングを使用するＵＥ間や、Ｄ２ＤのＵＥ間でも、交換することができる。
【００８６】
本発明による効率的で動的な動作又はＤ２Ｄチャネルリソースの割当は、特定の有利な方法で達成することができる。特に、レガシーなＰＵＣＣＨ上で影響が限定されることがなければ、ダウンリンクのセルラー容量を維持することができる。
【００８７】
さらに、レガシーなＰＵＣＣＨとＰ２ＣＣＨ間の無線干渉は、Ｐ２ＣＣＨ＿Ｏｆｆを設定して２つのチャネル間の正しい分離／距離を生成することによって直ちに回避することができる。Ｄ２Ｄスケジューリングから分離したスケジューリングが可能なセルラー制御シグナリングの永続的な利用可能性を通して、ｅＮＢのスケジューラには有利な限定的な影響を与える。
【００８８】
また、ＵＥの視点から複雑性を追加することは、特にレガシーなアルゴリズムのリユースを考慮する場合に限定される。
【００８９】
最後に、全てのチャネルにおいてＳＣ−ＦＤＭＡ送信用のシングルキャリア特性を維持できる可能性があり、そのため、ＰＵＣＣＨのフラクショニングを可能な限り最小にすることができる。
【００９０】
この出願は、２０１４年１月３１日に出願された英国特許出願第１４０１７７２．７号明細書からの優先権の利益に基づき、同優先権の利益を主張し、その開示はその全体が参照により本明細書に組み込まれる。
【００９１】
上記実施形態の一部又は全部は、以下の付記のようにも記載されうるが、以下には限られない。
（付記１）
セルラー通信ネットワーク環境内のモバイル端末デバイス間のデバイス間通信用の物理チャネルを構成する方法であって、セルラーアップリンクシグナリングスペクトル内のデバイス間通信制御チャネルの位置決めをするステップ、及びセルラーアップリンク制御チャネルから前記デバイス間通信制御チャネルの分離を決定するために周波数オフセットパラメータを適用するステップを含む、
方法。
（付記２）
前記デバイス間通信制御チャネルの帯域幅のパラメータを識別するステップを含む、
付記１に記載の方法。
（付記３）
セルラーネットワーク制御チャネルを参照することにより前記周波数オフセットを決定するステップを含む、
付記１又は２に記載の方法。
（付記４）
前記周波数オフセットパラメータから前記デバイス間通信物理無線リソースブロックを決定するステップは、前記セルラー通信ネットワーク環境内の物理アップリンク制御チャネル特性を決定するために用いられるアルゴリズムの適用を含む、
付記３に記載の方法。
（付記５）
前記デバイス間通信制御チャネルの位置は、前記モバイル端末デバイスの１つの内部で決定される、
付記１から４のいずれか１つに記載の方法。
（付記６）
前記デバイス間通信制御チャネルの前記位置を識別する前記パラメータは、無線リソース制御セルのブロードキャスト（いわゆるＳＩＢ）又は端末専用ＳＩＢメッセージを介して、前記端末デバイスに伝送される、
付記１から５のいずれか１つに記載の方法。
（付記７）
前記端末デバイス間で共通な構成パラメータ値を識別するステップを含む、
付記１から５のいずれか１つに記載の方法。
（付記８）
前記共通な構成パラメータ値は、２つのモバイル端末デバイス間のメッセージ交換によって計算される、
付記７に記載の方法。
（付記９）
前記共通な構成パラメータ値は、近隣セルのパラメータがブロードキャストされたＲＲＣのＳＩＢシグナリングに基づいて決定される、
付記７に記載の方法。
（付記１０）
無線アクセスネットワーク内の異なるセルに従属する場合に前記モバイル端末デバイスの構成を提供する、
付記７から９のいずれか１つに記載の方法。
（付記１１）
ＲＡＮカバレッジの外側のモバイル端末デバイスに関して、以前にキャンプオンしたセルを介して、又は、ＵＳＩＭにおける予め設定された値を介して、前記デバイス間通信用の物理制御チャネルの構成を含む、
付記１から６のいずれか１つに記載の方法。
（付記１２）
前記モバイル端末間のデバイス間通信チャネルの位置パラメータの伝送用の発見ビーコンを用いるステップを含む、
付記１から１１のいずれか１つに記載の方法。
（付記１３）
デバイス間通信チャネルの位置パラメータの交換用のレガシーなランダムアクセス手順内の初期アクセスシグナリングを用いるステップを含む、
付記１から１１のいずれか１つに記載の方法。
（付記１４）
従属するセルの物理チャネルパラメータを提供するためのネットワークノード間通信用のＸ２メッセージ／パラメータを用いるステップを含む、
付記１から１３のいずれか１つに記載の方法。
（付記１５）
セルラー通信ネットワーク環境内のデバイス間通信用のモバイル端末デバイスを動作させる方法であって、前記デバイス内で、セルラーアップリンクスペクトル内のデバイス間通信制御チャネルの位置決めをするステップ、及びセルラーアップリンク制御チャネルから前記デバイス間通信制御チャネルの分離を決定するために周波数オフセットパラメータを適用するステップを含む、
方法。
（付記１６）
前記デバイス間通信制御チャネルの帯域幅を識別するステップをさら含む、
付記１５に記載の方法。
（付記１７）
セルラーネットワーク制御チャネルを参照することにより前記周波数オフセットを決定するステップを含む、
付記１５又は１６に記載の方法。
（付記１８）
前記周波数オフセットパラメータから前記デバイス間通信の物理無線リソースブロックを決定するステップは、前記セルラーネットワーク環境内の物理アップリンク制御チャネル特性を決定するために用いられるアルゴリズムの適用を含む、
付記１５から１７のいずれか１つに記載の方法。
（付記１９）
前記端末デバイスは、無線リソース制御のＳＩＢメッセージを介して、前記デバイス間通信制御チャネルの前記位置を識別する前記パラメータを受信する、
付記１５から１８のいずれか１つに記載の方法。
（付記２０）
前記端末デバイス間で共通な構成パラメータ値を識別するステップを含む、
付記１５から１９のいずれか１つに記載の方法。
（付記２１）
前記共通な構成パラメータ値は、２つのモバイル端末デバイス間のランダムチャネルアクセス手順などのメッセージ交換によって計算される、
付記２０に記載の方法。
（付記２２）
前記共通な構成パラメータ値は、近隣セルのパラメータがブロードキャストされたＲＲＣのＳＩＢシグナリングに基づいて決定される、
付記２０に記載の方法。
（付記２３）
無線アクセスネットワーク内の他のモバイル端末デバイスとは異なるセルに従属する場合に前記モバイル端末デバイスの構成を提供する、
付記２０から２２のいずれか１つに記載の方法。
（付記２４）
他のモバイル端末デバイスのＲＡＮカバレッジの外側のモバイル端末デバイスに関連して、以前にキャンプオンしたセルを介して、又は、ＵＳＩＭにおける予め設定された値を介して、前記デバイス間通信用の物理制御チャネルの構成を含む、
付記１５から２０のいずれか１つに記載の方法。
（付記２５）
セルラー通信ネットワークのモバイル端末デバイスであって、他のモバイル端末デバイスとデバイス間通信を行うように構成されると共に、セルラーアップリンクスペクトル内のデバイス間通信制御チャネルの位置決めをし、セルラーアップリンク制御チャネルから前記デバイス間通信制御チャネルの分離を決定するために周波数オフセットパラメータを適用するように構成される、
端末デバイス。
（付記２６）
前記デバイス間通信制御チャネルの帯域幅を識別するように構成される、
付記２５に記載の端末デバイス。
（付記２７）
セルラーネットワーク制御チャネルを参照することにより前記周波数オフセットを決定するように構成される、
付記２５又は２６に記載の端末デバイス。
（付記２８）
前記セルラーネットワーク環境内の物理アップリンク制御チャネル特性を決定するために用いられるアルゴリズムを介して、前記周波数オフセットパラメータから前記デバイス間通信物理無線リソースブロックを決定するように構成される、
付記２５から２７のいずれか１つに記載の端末デバイス。
（付記２９）
無線リソース制御のＳＩＢ又は端末専用のＳＩＢメッセージを介して、前記デバイス間通信制御チャネルの前記位置を識別する前記パラメータを受信するように構成される、
付記２５から２８のいずれか１つに記載の端末デバイス。
（付記３０）
他の端末デバイスと共通な構成パラメータ値を識別するように構成される、
付記２５から２９のいずれか１つに記載の端末デバイス。
（付記３１）
コンピュータデバイス用のコンピュータプログラム製品であって、前記コンピュータデバイス上で動作する場合に、付記１から２４のいずれか１つのステップを実行するソフトウェアコード部分を含む、
コンピュータプログラム製品。
（付記３２）
前記コンピュータプログラム製品は、前記ソフトウェアコード部分が格納されているコンピュータ可読媒体を含む、
付記３１に記載のコンピュータプログラム製品。
（付記３３）
前記コンピュータプログラム製品は、前記コンピュータデバイスの内部メモリへ直接ロード可能であるか、及び／又は、アップロード、ダウンロード、及びプッシュ手順の少なくとも１つによって、ネットワークを介して伝送可能である、
付記３１又は３２に記載のコンピュータプログラム製品。
【符号の説明】
【００９２】
１０  セルラー通信ネットワーク環境
１２  ｅＮＢ
１４  第１のＵＥ
１６  第２のＵＥ
１００  ＵＥ
１０２  アンテナ
１０４  送信／受信回路
１０６  メモリ機能
１０８  プロセッサ機能
１１０  ユーザインタフェース
【図１】
2019075799.tif 000006
【図２】
2019075799.tif 000007
【図３】
2019075799.tif 000008
【図４】
2019075799.tif 000009
【図５】
2019075799.tif 000010
【図６】
2019075799.tif 000011
【図７】
2019075799.tif 000012
【図８】
2019075799.tif 000013